(57)【要約】【課題】蓋が箱本体の開口を閉じている際に、蓋を開くことができる状態と開くことができない状態とを操作感良く円滑に切り替えることができる絵具収容箱の蓋締結構造を提供することである。【解決手段】締結部材４の上側摺動部１４ａが、主本体側締結部６及び副本体側締結部７の上側溝１１ａ、１２ａ及び蓋側締結部８の凹部１３に沿って摺動し、締結部材４の下側摺動部１４ｂが、主本体側締結部６及び副本体側締結部７の下側溝に沿って摺動する。締結部材４が主本体側締結部６側に移動すると、締結部材４は主本体側締結部６のみに係合し、締結部材４が副本体側締結部７側に移動すると、上側摺動部１４ａが上側溝１１ａ、凹部１３、上側溝１２ａと同時に係合する。上側摺動部１４ａ及び下側摺動部１４ｂにおける長手方向の離間した位置には隆起部１５が設けられている。これらの隆起部１５が上側溝１１ａ、１２ａ内及び下側溝内の側面１６ａに点接触する。【選択図】図２
2019005919.tif 000002
【特許請求の範囲】
【請求項１】
開口を有する箱本体と前記箱本体の開口を閉じる蓋を有する絵具収容箱において、前記蓋が箱本体の開口を閉じた際に、箱本体と蓋を締結する絵具収容箱の蓋締結構造であって、
箱本体には前記開口の縁に沿って延びる本体側締結部が設けられており、本体側締結部には本体側締結部の長手方向に延びる溝が設けられており、
前記蓋には、前記本体側締結部の溝と同一直線上に並ぶ凹部を有する蓋側締結部が設けられており、
箱本体の本体側締結部と蓋の蓋側締結部を締結する締結部材を有し、
前記締結部材は、本体側締結部の溝に係合して当該溝に沿って摺動し、当該溝と蓋側締結部の凹部に同時に係合可能な摺動部を有し、
締結部材が特定の位置にあるときに摺動部と蓋側締結部の凹部が係合せず蓋の開動作が可能であり、
締結部材が前記特定の位置とは別の位置にあるときに摺動部が蓋側締結部の凹部と係合して蓋の開動作が不能になり、
前記摺動部の複数箇所に隆起部が設けられており、
前記隆起部は、本体側締結部の溝内の側面に接触することを特徴とする絵具収容箱の蓋締結構造。
【請求項２】
開口を有する箱本体と前記箱本体の開口を閉じる蓋を有する絵具収容箱において、前記蓋が箱本体の開口を閉じた際に、箱本体と蓋を締結する絵具収容箱の蓋締結構造であって、
箱本体には前記開口の縁に沿って延びる本体側締結部が設けられており、
箱本体の前記開口が上側となる姿勢を基準として、本体側締結部の上面と下面には、それぞれ上側溝と下側溝が設けられており、
前記上側溝及び下側溝は、それぞれ本体側締結部の長手方向に延びており、
本体側締結部の長手方向の途中の部位が断絶して、主本体側締結部と副本体側締結部が形成されており、
前記蓋には、主本体側締結部と副本体側締結部の間に配置される蓋側締結部が設けられており、
前記蓋側締結部は凹部を有しており、前記凹部は箱本体の上側溝と一直線上に並び、
箱本体と蓋を締結する締結部材を有し、
前記締結部材は上側摺動部と下側摺動部を有し、
前記上側摺動部は、主本体側締結部及び副本体側締結部の上側溝及び蓋側締結部の凹部に沿って摺動可能であり、前記下側摺動部は、主本体側締結部及び副本体側締結部の下側溝に沿って摺動可能であり、
前記締結部材の上側摺動部と下側摺動部は、主本体側締結部側に移動して主本体側締結部のみに係合し、
前記締結部材の上側摺動部は、副本体側締結部側に移動して主本体側締結部と副本体側締結部と蓋側締結部に係合し、
前記締結部材の前記上側摺動部及び下側摺動部における長手方向の離間した位置には隆起部が設けられており、
上側摺動部及び下側摺動部の前記隆起部は、上側溝内及び下側溝内の側面に接触することを特徴とする絵具収容箱の蓋締結構造。
【請求項３】
前記締結部材は、箱本体に対して着脱が可能であり、
前記主本体側締結部の上側溝及び下側溝の副本体側締結部側の端部の溝幅が、当該端部側ほど広くなる様に部分的に拡がっていることを特徴とする請求項２に記載の絵具収容箱の蓋締結構造。
【請求項４】
前記締結部材は、箱本体に対して着脱が可能であり、
箱本体に対して締結部材を装着する際に、最初に主本体側締結部の上側溝及び下側溝に進入する締結部材の上側摺動部の端部及び下側摺動部の端部が、当該端部側ほど箱本体の上側溝及び下側溝との係合深さが浅くなる様に傾斜していることを特徴とする請求項２又は３に記載の絵具収容箱の蓋締結構造。
【請求項５】
前記締結部材は、箱本体に対して着脱が可能であり、前記締結部材は注型品であって、
前記下側摺動部、又は箱本体に対する取り付け姿勢を基準として締結部材の下面に注型のゲート跡が設けられており、上側溝に係合する前記締結部材の上側摺動部が下側溝には係合不能であるか、及び／又は、下側摺動部が上側溝には係合不能であることを特徴とする請求項２乃至４のいずれかに記載の絵具収容箱の蓋締結構造。
【請求項６】
内部に中仕切部材を収容した状態で締結することを特徴とする請求項１乃至５のいずれかに記載の絵具収容箱の蓋締結構造。
【発明の詳細な説明】
【技術分野】
【０００１】
本発明は、箱本体と蓋を有する絵具収容箱において、蓋が箱本体の開口を閉じている際に、蓋を開くことができる状態と開くことができない状態とを円滑に切り替えることができる蓋締結構造に関するものである。
【背景技術】
【０００２】
箱本体の開口を閉じた状態で蓋を箱本体に固定する蓋締結構造として従来からスライダと称する部材が使用されている。すなわち、スライダを特定の位置にスライド移動させると、スライダが箱本体と蓋の両方に係合して蓋の開動作が不能になり、スライダを別の位置へ移動させると、スライダと箱本体の係合、又はスライダと蓋の係合が外れ、蓋の開動作が可能になる。
この様なスライダが例えば特許文献１に開示されている。
【先行技術文献】
【特許文献】
【０００３】
【特許文献１】実開平３−３３３０１号公報
【発明の概要】
【発明が解決しようとする課題】
【０００４】
ところで、スライダがスライド移動する際、箱本体に対してガタつくことがある。すなわち、箱本体とスライダの間のクリアランスが大き過ぎるとスライダがガタつきやすくなる。また、ガタつきを防止するために、前述のクリアランスを小さくし過ぎると、摩擦が大きくなってスライダの円滑なスライド移動ができなくなる。
そのため、従来は特許文献１に開示されている様に、スライダに適度な弾性力を有するバネ部材を設け、箱本体に当該バネ部材を接触させ、スライダの移動時におけるガタつきを防止すると共に、スライダと箱本体の間に過大な摩擦抵抗が生じるのを防止していた。
ところが、このバネ部材は、構造的にスライダの中央部分にしか設けることができない。そのため、バネ部材の付勢力はスライダの中央部分にのみ作用しスライダ全体にバランスよく作用せず、スライダはスライド移動中に箱本体に対して揺動することがある。換言すると、スライダを操作する者の力の入れ方によってスライダの姿勢が傾くことがあり、使用者はこの傾き動作によってスライダの操作に違和感を覚えることがある。
【０００５】
そこで本発明は、箱本体と蓋を有する絵具収容箱において、蓋が箱本体の開口を閉じている際に、蓋を開くことができる状態と開くことができない状態とを操作感が良好で円滑に切り替えることができる絵具収容箱の蓋締結構造を提供することを課題としている。
【課題を解決するための手段】
【０００６】
上記課題を解決するための請求項１に記載の発明は、開口を有する箱本体と前記箱本体の開口を閉じる蓋を有する絵具収容箱において、前記蓋が箱本体の開口を閉じた際に、箱本体と蓋を締結する絵具収容箱の蓋締結構造であって、箱本体には前記開口の縁に沿って延びる本体側締結部が設けられており、本体側締結部には本体側締結部の長手方向に延びる溝が設けられており、前記蓋には、前記本体側締結部の溝と同一直線上に並ぶ凹部を有する蓋側締結部が設けられており、箱本体の本体側締結部と蓋の蓋側締結部を締結する締結部材を有し、前記締結部材は、本体側締結部の溝に係合して当該溝に沿って摺動し、当該溝と蓋側締結部の凹部に同時に係合可能な摺動部を有し、締結部材が特定の位置にあるときに摺動部と蓋側締結部の凹部が係合せず蓋の開動作が可能であり、締結部材が前記特定の位置とは別の位置にあるときに摺動部が蓋側締結部の凹部と係合して蓋の開動作が不能になり、前記摺動部の複数箇所に隆起部が設けられており、前記隆起部は、本体側締結部の溝内の側面に接触することを特徴とする絵具収容箱の蓋締結構造である。
【０００７】
請求項１に記載の発明では、締結部材が、箱本体の本体側締結部の溝に係合して当該溝に沿って摺動する。締結部材は、当該溝と蓋の蓋側締結部の凹部に同時に係合可能な摺動部を有する。締結部材が特定の位置にあるときに摺動部と蓋側締結部の凹部が係合せず蓋の開動作が可能であり、締結部材が特定の位置とは別の位置にあるときに摺動部が蓋側締結部の凹部と係合して蓋の開動作が不能になる。
すなわち、締結部材を本体側締結部の溝に沿って移動させることによって、蓋を開くことができる状態と開くことができない状態とを切り替えることができる。換言すると、箱本体と蓋との締結状態と締結の解除状態とを切り替えることができる。
摺動部の複数箇所に隆起部が設けられている。隆起部は、本体側締結部の溝内の側面に接触する。そのため、締結部材が本体側締結部の溝に沿って移動する際にガタつかない。
また、複数箇所に設けられた隆起部が溝内の側面の複数箇所に接触するため、締結部材が溝に沿って移動する際に、締結部材は揺動しにくい。さらに、溝内の側面に対して隆起部が接触するため、摺動部と溝内の側面との接触面積が小さい。よって、締結部材が本体側締結部の溝に沿って移動する際の摩擦抵抗が小さい。その結果、締結部材の操作が円滑になる。換言すると、締結部材を溝に沿って移動させる際における操作感が良好である上に、蓋を開くことができる状態と開くことができない状態とを円滑に切り替えることができる。
本体側締結部の溝は、本体側締結部の上面側又は下面側に設けることができ、蓋側締結部の凹部は、この本体側締結部の溝と一直線に並び、これらが連続したレールを構成し、当該レールに沿って締結部材の摺動部が走行することができる。
【０００８】
請求項２に記載の発明は、開口を有する箱本体と前記箱本体の開口を閉じる蓋を有する絵具収容箱において、前記蓋が箱本体の開口を閉じた際に、箱本体と蓋を締結する絵具収容箱の蓋締結構造であって、箱本体には前記開口の縁に沿って延びる本体側締結部が設けられており、箱本体の前記開口が上側となる姿勢を基準として、本体側締結部の上面と下面には、それぞれ上側溝と下側溝が設けられており、前記上側溝及び下側溝は、それぞれ本体側締結部の長手方向に延びており、本体側締結部の長手方向の途中の部位が断絶して、主本体側締結部と副本体側締結部が形成されており、前記蓋には、主本体側締結部と副本体側締結部の間に配置される蓋側締結部が設けられており、前記蓋側締結部は凹部を有しており、前記凹部は箱本体の上側溝と一直線上に並び、箱本体と蓋を締結する締結部材を有し、前記締結部材は上側摺動部と下側摺動部を有し、前記上側摺動部は、主本体側締結部及び副本体側締結部の上側溝及び蓋側締結部の凹部に沿って摺動可能であり、前記下側摺動部は、主本体側締結部及び副本体側締結部の下側溝に沿って摺動可能であり、前記締結部材の上側摺動部と下側摺動部は、主本体側締結部側に移動して主本体側締結部のみに係合し、前記締結部材の上側摺動部は、副本体側締結部側に移動して主本体側締結部と副本体側締結部と蓋側締結部に係合し、前記締結部材の前記上側摺動部及び下側摺動部における長手方向の離間した位置には隆起部が設けられており、上側摺動部及び下側摺動部の前記隆起部は、上側溝内及び下側溝内の側面に接触することを特徴とする絵具収容箱の蓋締結構造である。
【０００９】
請求項２に記載の発明では、箱本体の開口が上側となる姿勢を基準として、本体側締結部の上面と下面には、それぞれ上側溝と下側溝が設けられており、箱本体の本体側締結部の長手方向の途中の部位が断絶して、主本体側締結部と副本体側締結部が形成されている。すなわち、主本体側締結部と副本体側締結部は、それぞれ上側溝と下側溝を有し、主本体側締結部の上側溝及び下側溝は、副本体側締結部の上側溝及び下側溝と同一直線上にある。そして、箱本体に設けられた主本体側締結部と副本体側締結部の間に、蓋に設けられた蓋側締結部が配置される。蓋側締結部は凹部を有し、凹部は主本体側締結部と副本体側締結部の各上側溝と一直線上に並ぶ。すなわち、主本体側締結部と副本体側締結部の各上側溝と、蓋側締結部の凹部が一直線に連続したレールを構成する。
締結部材は上側摺動部と下側摺動部を有し、上側摺動部は、主本体側締結部及び副本体側締結部の上側溝及び蓋側締結部の凹部に沿って摺動可能であり、下側摺動部は、主本体側締結部及び副本体側締結部の下側溝に沿って摺動可能である。
締結部材の上側摺動部と下側摺動部は、主本体側締結部側に移動して主本体側締結部のみに係合することができ、蓋側締結部の凹部との係合を外すことができる。このとき、箱本体と蓋との締結が解除された状態となる。換言すると、箱本体の開口を開くことができる状態となる。また、締結部材が副本体側締結部側に移動すると、締結部材の上側摺動部が主本体側締結部と副本体側締結部と蓋側締結部に係合し、箱本体と蓋とが締結された状態となる。換言すると、箱本体の開口を開くことができない締結された状態となる。
すなわち、締結部材を移動させることによって、箱本体と蓋の締結状態と締結の解除状態とを切り替えることができる。
そして、締結部材の上側摺動部及び下側摺動部における長手方向の離間した位置には隆起部が設けられており、上側摺動部及び下側摺動部の隆起部は、上側溝内及び下側溝内の側面に接触する。すなわち、締結部材の長手方向とこの長手方向と直交する方向に離間した位置にそれぞれ隆起部が設けられている。
そのため、締結部材が本体側締結部の上側溝及び下側溝に沿って移動する際にガタつかない。
また、締結部材の離間した複数箇所に隆起部があり、これらの隆起部が本体側締結部の上側溝及び下側溝内の側面に接触するため、締結部材の姿勢が変化しにくい。すなわち、締結部材は揺動しにくい。
さらに、上側溝内及び下側溝内の側面に対して隆起部が接触するため、摺動部と各溝内の側面との接触面積が小さい。よって、締結部材が本体側締結部の上側溝及び下側溝に沿って移動する際の摩擦抵抗が小さい。その結果、締結部材の操作が円滑になる。
また、蓋側締結部の上側及び下側の両方に凹部を設け、各凹部をそれぞれ本体側締結部の上側溝と下側溝に同時に一直線上に並べることも可能である。この場合には、本体側締結部の上側溝と蓋側締結部の上側の凹部が一直線に連続して上側レールを構成し、本体側締結部の下側溝と蓋側締結部の下側の凹部が一直線に連続して下側レールを構成する。また、締結部材の上側摺動部が上側レールに沿って走行することができ、下側摺動部が下側レールに沿って走行することができる。そして、上側摺動部が本体側締結部の上側溝と蓋側締結部の上側の凹部に同時に係合し、且つ、下側摺動部が本体側締結部の下側溝と蓋側締結部の下側の凹部に同時に係合することにより、箱本体に対する蓋の締結が安定する。
【００１０】
請求項３に記載の発明は、前記締結部材は、箱本体に対して着脱が可能であり、前記主本体側締結部の上側溝及び下側溝の副本体側締結部側の端部の溝幅が、当該端部側ほど広くなる様に部分的に拡がっていることを特徴とする請求項２に記載の絵具収容箱の蓋締結構造である。
【００１１】
請求項３に記載の発明では、締結部材は、箱本体に対して着脱が可能であり、主本体側締結部の上側溝及び下側溝の副本体側締結部側の端部の溝幅が、当該端部側ほど広くなる様に部分的に拡がっているので、主本体側締結部に締結部材を装着する際に、互いに干渉しにくく、装着し易い。
【００１２】
請求項４に記載の発明は、前記締結部材は、箱本体に対して着脱が可能であり、箱本体に対して締結部材を装着する際に、最初に主本体側締結部の上側溝及び下側溝に進入する締結部材の上側摺動部の端部及び下側摺動部の端部が、当該端部側ほど箱本体の上側溝及び下側溝との係合深さが浅くなる様に傾斜していることを特徴とする請求項２又は３に記載の絵具収容箱の蓋締結構造である。
【００１３】
請求項４に記載の発明では、締結部材は、箱本体に対して着脱が可能であり、箱本体に対して締結部材を装着する際に、最初に主本体側締結部の上側溝及び下側溝に進入する締結部材の上側摺動部の端部及び下側摺動部の端部が、当該端部側ほど箱本体の上側溝及び下側溝との係合深さが浅くなる様に傾斜しているので、主本体側締結部に締結部材を装着する際に、互いに干渉しにくく、装着し易い。
【００１４】
請求項５に記載の発明は、前記締結部材は、箱本体に対して着脱が可能であり、前記締結部材は注型品であって、前記下側摺動部、又は箱本体に対する取り付け姿勢を基準として締結部材の下面に注型のゲート跡が設けられており、上側溝に係合する前記締結部材の上側摺動部が下側溝には係合不能であるか、及び／又は、下側摺動部が上側溝には係合不能であることを特徴とする請求項２乃至４のいずれかに記載の絵具収容箱の蓋締結構造である。
【００１５】
請求項５に記載の発明では、締結部材は、箱本体に対して着脱が可能であり、締結部材は注型品であって、前記下側摺動部、又は箱本体に対する取り付け姿勢を基準として締結部材の下面に注型のゲート跡が設けられており、上側溝に係合する締結部材の上側摺動部が下側溝には係合不能であるか、及び／又は、下側摺動部が上側溝には係合不能である。そのため、主本体側締結部に対して締結部材を装着する際に、上下逆向きの姿勢で装着することができない。すなわち、上下の向きを間違えて締結部材を主本体側係合部に装着することがない。よって、注型時に形成されたゲート跡が必ず締結部材の下側にくるので、絵具収容箱を外観してゲート跡が見えにくくなり、絵具収容箱の見栄えがよい。
【００１６】
絵具収容箱の内部に中仕切部材を収容した状態で箱本体と蓋とを締結することもできる（請求項６）。
【発明の効果】
【００１７】
本発明の絵具収容箱の蓋締結構造によると、蓋が箱本体の開口を閉じている際に、蓋を開くことができる状態と開くことができない状態とを操作感が良好で円滑に切り替えることができる
【図面の簡単な説明】
【００１８】
【図１】本発明の実施形態に係る収容箱の斜視図である。
【図２】図１のＡ部の部分分解斜視図であり、締結部材の向きを紙面の奥側と手前側とを反転させた状態を示す。
【図３】図２の状態から収容箱の箱本体上に中仕切部材を配置した状態を示す部分斜視図である。
【図４】図３の状態から収容箱の箱本体に締結部材を装着する直前の状態を示す部分斜視図である。
【図５】締結部材が箱本体に装着された状態を示す部分斜視図である。
【図６】締結部材が主本体側締結部側に移動し、箱本体上に蓋が配置された状態を示す部分斜視図である。
【図７】図６の状態から締結部材が副本体側締結部側に移動する途中の状態を示す部分斜視図である。
【図８】締結部材が箱本体の本体側締結部と蓋の蓋側締結部の両方に係合し、箱本体から蓋が取り外し不能な状態の収容箱の部分斜視図である。
【図９】図４のＢ部の部分拡大斜視図であり、主本体側締結部に締結部材が係合する直前の状態を示す。
【図１０】図２のＣ−Ｃ方向の上方側からみた主本体側締結部の斜視図である。
【図１１】図１０のＤ−Ｄ矢視図であり、（ａ）は、主本体側締結部に締結部材が装着される前の状態を示し、（ｂ）は、主本体側締結部に締結部材が装着された状態を示し、（ｃ）は、主本体側締結部に対して締結部材を上下逆向きに取り付けようとした場合における締結部材を仮想的に示す。
【図１２】図１１における締結部材の変形例であって、図１０のＤ−Ｄ矢視図に対応する図であり、（ａ）は、主本体側締結部に締結部材が装着された状態を示し、（ｂ）は、主本体側締結部に対して締結部材を上下逆向きに取り付けようとした場合における締結部材を仮想的に示す。
【図１３】締結部材の図１２とは別の変形例であって、図１０のＤ−Ｄ矢視図に対応する図であり、（ａ）は、主本体側締結部に締結部材が装着された状態を示し、（ｂ）は、主本体側締結部に対して締結部材を上下逆向きに取り付けようとした場合における締結部材を仮想的に示す。
【図１４】（ａ）は、締結部材を製造する真空注型用の型の概念図であり、（ｂ）は、（ａ）の型で製造された締結部材の斜視図であり、上側摺動部と下側摺動部が上側となり、ゲート跡が見えている。
【図１５】図２のＥ−Ｅ断面図であり、本体側締結部の上側溝及び下側溝を示している。
【図１６】図１４（ｂ）の締結部材の変形例を示す斜視図である。
【図１７】本発明の実施形態に係る絵具収容箱の蓋締結構造で採用するのに好ましい外観を有する締結部材の斜視図である。
【図１８】箱本体と蓋とが図１７の締結部材によって締結された収容箱の部分拡大斜視図である。
【発明を実施するための形態】
【００１９】
以下、図面を参照しながら説明する。
図１に示す様に、絵具収容箱１は、箱本体２と蓋３と両者を締結する締結部材４（スライダ）を有している。絵具収容箱１は平面視して略矩形であり、一対の平行な辺の部位に締結部材４が設けられており、二つ締結部材４によって箱本体２と蓋３とが締結されている。各締結部材４の構造、及び箱本体２と蓋３における締結部材４によって締結される部位の構造は同一であるため、以下では図２のＡ部の一方側の締結構造を中心に説明する。
【００２０】
図２に示す様に、箱本体２は、周囲が縁１０によって仕切られた開口１０ａを有している。縁１０の対向する二辺には、本体側締結部５が設けられている。
【００２１】
本体側締結部５は、開口１０ａから外側に突出しており、略四角柱状の外観を呈している。本体側締結部５は、縁１０の上方及び外方（内方の開口側とは反対側）に突出している。本体側締結部５は、途中の部位が断絶していて、二つの部位に分かれている。すなわち、本体側締結部５には、断絶部５ａが設けられている。本体側締結部５における断絶部５ａの一方側は主本体側締結部６を構成しており、他方側は副本体側締結部７を構成している。
【００２２】
主本体側締結部６は、長さが比較的長く、箱本体２の縁１０に沿っている。主本体側締結部６の縁１０に沿った方向の長さは、断絶部５ａの長さ（すなわち、主本体側締結部６と副本体側締結部７の間隔）よりも長い。
【００２３】
また、主本体側締結部６の上面側には上側溝１１ａが設けられており、下面側には下側溝１１ｂが設けられている。上側溝１１ａと下側溝１１ｂは、主本体側締結部６の長手方向に沿って延びており、断絶部５ａ側（副本体側締結部７側）の端部が開口し、反対側の端部が閉じている。また、上側溝１１ａと下側溝１１ｂは同じ長さであって平行であり、互いに上下の位置関係にあり、主本体側締結部６を平面視すると両者は重なっている。
【００２４】
さらに、主本体側締結部６の上側溝１１ａと下側溝１１ｂ（図１０、図１５）における副本体側締結部７側の端部の溝幅は、副本体側締結部７に近づくほど拡がっている。すなわち、上側溝１１ａと下側溝１１ｂには幅広部１７が設けられており、幅広部１７によって溝幅が部分的に拡がっている。幅広部１７の側面は鉛直面であると共に、主本体側締結部６の長手方向に対して傾斜する傾斜面を構成している。換言すると、図９に破線で示す様に、上側溝１１ａ（下側溝１１ｂも同様）の端部の側壁は、三角柱状に切り欠かれており、この三角柱状の切欠部１８によって溝幅が拡がっている。
【００２５】
図１５に示す様に、上側溝１１ａの底部には凸部２６が設けられている。凸部２６は、後述の締結部材４の凹部２５ａと係合する部位である。
【００２６】
副本体側締結部７は、図２に示す様に、主本体側締結部６から断絶部５ａを隔てた位置にあり、主本体側締結部６よりも短い長さを有する四角柱状の外観を呈している。副本体側締結部７の上面側には上側溝１２ａが設けられており、下面側には下側溝１１ｂが設けられている。上側溝１２ａ、下側溝１２ｂの溝幅は一定であり、副本体側締結部７を平面視すると、上側溝１２ａと下側溝１２ｂは重なっている。
【００２７】
また、上側溝１２ａは、主本体側締結部６の上側溝１１ａ（溝幅が一定の部位）を延長した位置にある。すなわち、副本体側締結部７の上側溝１２ａは、主本体側締結部６の上側溝１１ａの延長線上にある。同様に下側溝１２ｂは、主本体側締結部６の下側溝１１ｂ（溝幅が一定の部位）を延長した位置にある。
【００２８】
すなわち、図１５に示す様に、上側溝１１ａ、１２ａは、一直線に並び、後述の蓋側締結部８の凹部１３と共に直線状のレール溝を構成する。この上側のレール溝には後述の締結部材４の上側摺動部１４ａが係合する。上側摺動部１４ａは、この上側のレール溝に沿ってスライド移動する。
【００２９】
また、下側溝１１ｂ、１２ｂも一直線に並び、両溝の間には断絶部５ａがあるが、両溝は同一直線上にあって下側のレール溝を構成している。この下側のレール溝には後述の締結部材４の下側摺動部１４ｂが係合する。下側摺動部１４ｂは、下側のレール溝に沿ってスライド移動する。
【００３０】
図１５に示す様に、上側溝１２ａの底部には凸部２７が設けられている。凸部２７は、後述の締結部材４の凹部２５ｂと係合する部位である。
【００３１】
断絶部５ａには、載置部１９が設けられている。載置部１９は、細長い板状の部位であり、一端が主本体側締結部６の端部と連続しており、他端が副本体側締結部７と連続している。すなわち、載置部１９の長さは、断絶部５ａの長さ（主本体側締結部６と副本体側締結部７の間隔）と同じである。載置部１９は、主本体側締結部６の上側溝１１ａと下側溝１１ｂの間の部位と、副本体側締結部７の上側溝１２ａと下側溝１２ｂの間の部位を接続している。すなわち、載置部１９は、上側溝１１ａ（１２ａ）と下側溝１１ｂ（１２ｂ）の間の高さ位置に水平姿勢で設けられている。
【００３２】
蓋３は、図１に示す様に、箱本体２の四辺（縁１０）に対応する四辺を有している。また、蓋３は、二つの本体側締結部５に対応する二つの蓋側締結部８を有している。
蓋側締結部８は、蓋３の外側に突出した部位であり、折り曲げ加工されて凹部１３を構成する部位である。凹部１３は略Ｕ字状に構成されており、上方と側方が開いている。蓋側締結部８は、箱本体２の断絶部５ａよりも若干短い長さを有している。また、箱本体２に蓋３を重ねると、蓋側締結部８は断絶部５ａの位置にくる。さらに、蓋側締結部８の凹部１３は、主本体側締結部６の上側溝１１ａと副本体側締結部７の上側溝１２ａの間に配置され、これらが一直線に並ぶ。すなわち、上側溝１１ａ、凹部１３、上側溝１２ａが一直線に並び、これらが一連のレール溝を構成する。このレール溝には、後述の締結部材４（上側摺動部１４ａ）が係合してスライド移動する。
【００３３】
図２に示す様に、蓋側締結部８の両側には、切欠部２０ａ、２０ｂが設けられている。切欠部２０ａ、２０ｂは、箱本体２に蓋３を重ねた際に、それぞれ主本体側締結部６、副本体側締結部７に係合する。これにより、箱本体２と蓋３の間には隙間が生じない。
【００３４】
締結部材４は、図２に示す様に、略コの字形の断面を有する部材である。締結部材４のコの字の開口部分には、それぞれ接近する向きに延びる内向きフランジ状の上側摺動部１４ａと下側摺動部１４ｂが設けられている。すなわち、上側摺動部１４ａと下側摺動部１４ｂは、板状の部位である。上側摺動部１４ａと下側摺動部１４ｂの間には隙間がある。
上側摺動部１４ａと下側摺動部１４ｂは、長さは同じであるが、フランジ幅が相違している。すなわち、上側摺動部１４ａの幅は下側摺動部１４ｂの幅よりも小さい。
【００３５】
上側摺動部１４ａの両端には傾斜部２１ａ、２１ｂが設けられている。傾斜部２１ａ、２１ｂによって、上側摺動部１４ａの端部側ほどフランジの突出長さ（フランジ幅）が短くなっている。
同様に、下側摺動部１４ｂの両端には傾斜部２２ａ、２２ｂが設けられている。
【００３６】
傾斜部２１ａ、２２ａは上下の位置関係にあり、両者は対向している。また、傾斜部２１ａ、２２ａによって上側摺動部１４ａと下側摺動部１４ｂの間隔が部分的に拡がっている。傾斜部２１ａを形成するために、上側摺動部１４ａの端部の図９において破線で示す部位が切り欠かれている（切欠部２４）。下側摺動部１４ｂの傾斜部２２ａも同様に切り欠かれている。
傾斜部２１ｂ、２２ｂも上下の位置関係にあり、両者は対向している。また、傾斜部２１ｂ、２２ｂによって上側摺動部１４ａと下側摺動部１４ｂの間隔が部分的に拡がっている。
【００３７】
すなわち、図９に示す様に、締結部材４の上側摺動部１４ａの端部及び下側摺動部１４ｂの端部は、最初に主本体側締結部６の上側溝１１ａ及び下側溝１１ｂに進入する。そして、上側摺動部１４ａ及び下側摺動部１４ｂにおける当該端部側ほど箱本体２の上側溝１１ａ及び下側溝１１ｂとの係合深さが浅くなる様に傾斜している。
【００３８】
また、上側摺動部１４ａの外面の両端付近には、図２に示す様に、それぞれ隆起部１５が設けられている。隆起部１５は、上側摺動部１４ａの表面から隆起して盛り上がった部位である。
【００３９】
さらに、上側摺動部１４ａにおける上側溝１１ａの底部と接触する部位には、凹部２５ａ、２５ｂが設けられている。上側摺動部１４ａの凹部２５ａ、２５ｂは、それぞれ上側溝１１ａ、１２ａの凸部２６、２７に係合する部位である。
【００４０】
締結部材４の長さは、断絶部５ａよりも長く、主本体側締結部６と副本体側締結部７の両方に同時に係合可能な長さであるが、主本体側締結部６よりは短い。
【００４１】
本実施形態では、箱本体２と蓋３の間に中仕切部材９が設けられている。中仕切部材９は、例えば絵具入れやパレットである。中仕切部材９の両端には、突出係合部２３が設けられている。突出係合部２３は、中仕切部材９を箱本体２内に収容したときに、載置部１９上に載置される部位である。
【００４２】
次に、絵具収容箱１の各部材同士の関係について説明する。
図２に示す様な各部材が分解された状態から図３に示す様に、まず、中仕切部材９を箱本体２内に収容する。中仕切部材９の両端にある突出係合部２３が、それぞれ箱本体２の両側にある載置部１９上に載置され、箱本体２に対する中仕切部材９の姿勢が水平状態で安定する。図３では、中仕切部材９の一方側の突出係合部２３が載置部１９上に載置されている状態を示し、他方側の描写は省略している。
【００４３】
次に、図４及び図５に示す様に、締結部材４を箱本体２の主本体側締結部６に係合させる。図９に示す様に、主本体側締結部６には上側溝１１ａに幅広部１７が設けられており、締結部材４の上側摺動部１４ａには傾斜部２１ａが設けられている。換言すると、主本体側締結部６と締結部材４には、破線で示す切欠部１８、２４が設けられているので、締結部材４の上側摺動部１４ａは円滑に上側溝１１ａに進入して係合することができる。
すなわち、切欠部２４によって、最初に主本体側締結部６の上側溝１１ａ及び下側溝１１ｂに進入する締結部材４の上側摺動部１４ａの端部及び下側摺動部１４ｂの端部が、当該端部側ほど箱本体２の上側溝１１ａ及び下側溝１１ｂとの係合深さが浅くなる様に傾斜している。
【００４４】
本実施形態では、締結部材４には切欠部２４を設け、主本体側締結部６には切欠部１８を設けたが、締結部材４のみに切欠部２４を設けたり、主本体側締結部６のみに切欠部１８を設けてもよい。本実施形態の様に、締結部材４と主本体側締結部６の両方に切欠部２４、１８を設けるのが最も好ましい。
図示していないが、締結部材４の下側摺動部１４ｂと主本体側締結部６の下側溝１１ｂにも互いに係合し易くなる様に、同様の切欠部が設けられている。
【００４５】
図５に示す様に、締結部材４が主本体側締結部６に係合すると、締結部材４は、矢印Ｘで示す方向（主本体側締結部６の長手方向）に摺動（スライド移動）することができる。
このとき、図１１（ａ）、図１１（ｂ）に示す様に、締結部材４の隆起部１５が上側溝１１ａの側面１６ａ、下側溝１１ｂの側面１６ｂに接触し、側面１６ａ、１６ｂを押圧している。そのため、締結部材４は、主本体側締結部６の上側溝１１ａ、下側溝１１ｂに沿ってガタつくことなくスライド移動することができる。また、隆起部１５が側面１６ａ、１６ｂに点接触することによって締結部材４における主本体側締結部６に対する接触面積が小さくなり、締結部材４がスライド移動する際の摩擦抵抗が少なくなる。そのため、締結部材４のスライド移動は円滑であり、操作性が良好である。
【００４６】
次に、図６に示す様に、締結部材４を特定の位置である主本体側締結部６の端部（副本体側締結部７とは反対側の端部）に移動させる。締結部材４は主本体側締結部６よりも短いため、締結部材４は断絶部５ａ部分から退避し、主本体側締結部６のみに係合することができる。このとき、締結部材４の上側摺動部１４ａの凹部２５ａが、図１５に示す上側溝１１ａの凸部２６に係合する。凹部２５ａと凸部２６が係合することにより、締結部材４の矢印Ｘ方向へのスライド移動に抵抗が付与されている。すなわち、図６に示す様に断絶部５ａが開放された状態では、締結部材４の不用意なスライド移動が阻止されている。図６に示す状態では断絶部５ａが開放されており、断絶部５ａに蓋３の蓋側締結部８を配置可能である。
【００４７】
蓋３を箱本体２に重ねると、箱本体２の開口１０ａが蓋３によって閉じられる。このとき、蓋側締結部８が中仕切部材９の突出係合部２３（箱本体２の載置部１９）の上に配置される。また、蓋３の切欠部２０ａ、２０ｂ（図３）が、箱本体２の主本体側締結部６、副本体側締結部７と係合する。そして、箱本体２の開口１０ａは、全周囲に渡って蓋３によって閉塞される。
【００４８】
そして、図７に示す様に、締結部材４を副本体側締結部７側へスライド移動させると、締結部材４の上側摺動部１４ａは、断絶部５ａの領域において蓋側締結部８の凹部１３と係合し、凹部１３に沿って移動する。一方、締結部材４の下側摺動部１４ｂは、断絶部５ａでは係合相手が存在しないが、副本体側締結部７に達すると、副本体側締結部７の下側溝１２ｂに進入して係合する。
【００４９】
さらに、締結部材４を副本体側締結部７側へ移動させ、図８に示す様に、締結部材４を副本体側締結部７と係合させる。前述の特定の位置では、締結部材４が主本体側締結部６のみに係合していたが、この特定の位置とは別の位置では、締結部材４は副本体側締結部７と主本体側締結部６の両方と係合する。すなわち、締結部材４の一方側は副本体側締結部７と係合しており、他方側は主本体側締結部６と係合している。このとき、蓋側締結部８が全長に渡って締結部材４と係合しており、箱本体２と蓋３が締結される。
【００５０】
また、このときには、締結部材４の上側摺動部１４ａの凹部２５ｂ（図２）が、上側溝１２ａの溝底部に設けられた凸部２７（図１５）に係合している。そのため、締結部材４を主本体側締結部６側へスライド移動させるためには、締結部材４に所定以上の力を付与する必要があり、締結部材４の不用意なスライド移動が阻止されている。
【００５１】
図７に示す状態では、締結部材４が箱本体２の主本体側締結部６と蓋３の蓋側締結部８の凹部１３に係合しており、箱本体２に対して蓋３を取り外すことはできない。しかし、図７に示す状態では、締結部材４は箱本体２に対して一方側の主本体側締結部６のみに係合しており、さらに締結部材４が矢印Ｘ方向に容易にスライド移動可能である。そのため、箱本体２に対する蓋３の締結は不安定である。しかし、図８に示す状態では、締結部材４は、主本体側締結部６と副本体側締結部７の両方に係合している上に、締結部材４の矢印Ｘ方向の不用意なスライド移動が阻止されているため、箱本体２に対する蓋３の締結は安定している。
【００５２】
締結部材４の上側摺動部１４ａに設けられた隆起部１５は、それぞれ主本体側締結部６の上側溝１１ａの側面１６ａと、副本体側締結部７の上側溝１２ａの側面２８ａに接触し、側面１６ａ、２８ａを押圧している。締結部材４の下側摺動部１４ｂに設けられた隆起部１５も、それぞれ主本体側締結部６の下側溝１１ｂの側面１６ｂと、副本体側締結部７の下側溝１２ｂの側面２８ｂに接触し、これらの側面１６ｂ、２８ｂを押圧している。
【００５３】
すなわち、主本体側締結部６の上側溝１１ａ及び下側溝１１ｂの溝幅や、副本体側締結部７の上側溝１２ａ及び下側溝１２ｂの溝幅に対して、締結部材４における隆起部１５を含めた上側摺動部１４ａと下側摺動部１４ｂの厚み寸法が、一致しているか又は若干大きい。
【００５４】
そして、締結部材４は、断絶部５ａの両側において、主本体側締結部６及び副本体側締結部７と係合し、さらに隆起部１５が溝内の側面１６ａ、１６ｂ、２８ａ、２８ｂ等を押圧（接触）することによってガタつくことなく主本体側締結部６及び副本体側締結部７に対して安定した姿勢を保つことができる。
【００５５】
また、隆起部１５が溝内の側面１６ａ、１６ｂ、２８ａ、２８ｂ等を押圧（接触）するので、締結部材４と箱本体２との接触面積が小さく、摩擦抵抗が小さい。よって、箱本体２に対して締結部材４を円滑にスライド移動させることができる。
【００５６】
さらに、各隆起部１５が、締結部材４の上側摺動部１４ａと下側摺動部１４ｂの両端付近に設けられているので、箱本体２に対して締結部材４をスライド操作する際に、締結部材４が揺動しにくい。すなわち、各隆起部１５が締結部材４の四隅付近に設けられているため、締結部材４に力を加えても、当該力は各隆起部１５によって支持され、締結部材４の姿勢は変わらない。そのため、締結部材４は揺動せず、絵具収容箱１の使用者が締結部材４をスライド移動させる際に、良好な操作感が得られる。
【００５７】
絵具収容箱１の蓋３を取り外す際には、締結部材４を主本体側締結部６側へ摺動させる。すなわち、締結部材４を主本体側締結部６側へスライド移動（摺動）させ、絵具収容箱１を図８に示す状態から図６に示す状態にし、締結部材４を断絶部５ａから退避させ、断絶部５ａを開放状態にする。
【００５８】
本実施形態では、絵具収容箱１は平面視して略矩形であり、一対の平行な辺の部位に締結部材４が装着されており、二つ締結部材４によって箱本体２と蓋３とが締結されているので、各締結部材４をそれぞれ操作することにより、箱本体２に対して容易に蓋３を取外し可能な状態にすることができる。
【００５９】
図６に示す状態では、締結部材４と蓋側締結部８の凹部１３との係合が外れており、箱本体２から蓋３を取り外すことができる。また、このとき、中仕切部材９も取外し可能である。すなわち、締結部材４によって締結される絵具収容箱１では、箱本体２に対する蓋３の着脱が可能である。
【００６０】
上述した実施形態では、図３に示す様に箱本体２の載置部１９に中仕切部材９の突出係合部２３を配置してから主本体側締結部６に締結部材４を装着する例を示したが、締結部材４を先に主本体側締結部６に装着してから箱本体２に中仕切部材９を配置することもできる。すなわち、主本体側締結部６側へ締結部材４が移動すると、断絶部５ａが開放され、箱本体２の載置部１９上に中仕切部材９の突出係合部２３を配置することができる。
【００６１】
本実施形態では、蓋側締結部８の凹部１３が、箱本体２の主本体側締結部６の上側溝１１ａ及び副本体側締結部７の上側溝１２ａと一直線に並ぶ場合を示したが、凹部１３を下向きに構成して、凹部１３を下側溝１１ｂ、１２ｂと一直線に並ぶようにしてもよい。この場合には、載置部１９を省略し、断絶部５ａに配置した蓋側締結部８の凹部１３が、主本体側締結部６の下側溝１１ｂや副本体側締結部７の下側溝１２ｂと共に締結部材４と同時に係合するようにする。
【００６２】
また、図示していないが、蓋側締結部８の横断面を、本体側締結部５と同様の横断面に構成し、蓋側締結部８の上下にそれぞれ主本体側締結部６の上側溝１１ａ、下側溝１１ｂや、副本体側締結部７の上側溝１２ａ、下側溝１２ｂと同様の溝幅の溝を設けてもよい。この場合においても、箱本体２の載置部１９は省略する。
【００６３】
上述した実施形態では、絵具収容箱１は平面視して略矩形であり、一対の平行な辺の部位に締結部材４が装着されており、二つ締結部材４によって箱本体２と蓋３とが締結される場合について説明した。絵具収容箱１は、この様な形態に限らず、例えば一辺にヒンジ（蝶番）を設け、蓋３が箱本体２に対してヒンジを中心に回動して箱本体２の開口１０ａを開閉する場合についても本発明を実施することができる。すなわち、ヒンジが設けられた辺とは別の辺に本体側締結部５を設ける。この場合には、一つの締結部材４で蓋３の開動作が可能な状態と不能な状態とを切り替えることができる。
【００６４】
締結部材４は、射出成型によって製造したり、切削加工やプレス加工（金属材料）あるいは３Ｄプリンタによって製造することができる。
【００６５】
ここで、締結部材４を射出成形によって製造する場合には、図１４（ａ）に示す様な上型３１及び下型３２を使用する。上型３１内には締結部材４のマスター３３に樹脂（原材料）を注入するためのゲート３４が設置されている。
【００６６】
上型３１及び下型３２によって製造された締結部材４には、図１４（ｂ）に示す様なゲート跡３５ができてしまう。このゲート跡３５が、締結部材４の下側摺動部１４ｂに形成される様にすることにより、ゲート跡３５が目立たないようにすることができる。すなわち、下側摺動部１４ｂは、断絶部５ａにおいても箱本体２の側面に対向しており、締結部材４がスライド移動してどの位置に来てもゲート跡３５が露出することがない。
【００６７】
また、図１６に示すように、締結部材４の下面３９にゲート跡４０が形成されるようにしてもよい。下面３９は、箱本体に対する取り付け姿勢を基準として締結部材４の下側にくる面であり、目立たない部位である。
【００６８】
ところが、図１４（ｂ）に示す様に、締結部材４の下側摺動部１４ｂにゲート跡３５を形成しても、締結部材４を天地逆向きに箱本体２（主本体側締結部６）に装着してしまっては、締結部材４がスライド移動して断絶部５ａにきたときにゲート跡３５が露出してしまう。また、図１６に示す様に、締結部材４の下面３９にゲート跡４０を形成した場合についても同様であり、締結部材４を天地逆向きに箱本体２（主本体側締結部６）に装着してしまうと、下面３９が上側にきてしまい、ゲート跡４０が目立ってしまう。
そこで本実施形態では、締結部材４を主本体側締結部６に装着する際に、天地逆向きに装着することができない様にしている。
【００６９】
具体的には、図１１（ａ）に示す様に、締結部材４の上側摺動部１４ａと下側摺動部１４ｂのフランジの突出長さ（フランジ幅）に差異を設けると共に、上側摺動部１４ａと下側摺動部１４ｂの突出長さに対応する様に、本体側締結部５の上側溝１１ａ、１２ａと、下側溝１１ｂ、１２ｂの深さに差異を設けている。
【００７０】
この様にすると、締結部材４の天地の向きが正常であれば、図１１（ｂ）に示す様に、締結部材４は本体側締結部５（主本体側締結部６）に装着することができる。しかし、締結部材４の天地の向きを逆にすると、図１１（ｃ）に二点鎖線で示す様に、締結部材４と本体側締結部５（主本体側締結部６）とが干渉してしまい、締結部材４を主本体側締結部６に装着することができない。図１１（ｃ）では、上側摺動部１４ａと連続する張出部３７が、下側溝１１ｂを仕切る側壁部１１ｃと仮想的に重なった状態を描写している。
よって、締結部材４の天地の向きを間違えることがなくなり、ゲート跡３５が形成された下側摺動部１４ｂが必ず下側にくることになり、ゲート跡３５は露出しない。
【００７１】
このように、上下逆向きに締結部材４を箱本体２（主本体側締結部６）に装着できない様にすると、締結部材４を箱本体２に装着する際に、締結部材４の上下の向きを間違えることがない。よって、ゲート跡３５が断絶部５ａ（箱本体２の側面が部分的に切り欠かれた部位）において、ゲート跡３５が露出することがない。よって、ゲート跡３５が見えず、絵具収容箱１は見栄えがよい。
【００７２】
また別の形態として、図１２（ａ）に示す様に、締結部材４ａにリブ３６を設けてもよい。図１２（ａ）に示す例では、リブ３６は上側摺動部１４ａの内部に設けられている。図１２（ａ）に示す締結部材４ａの上側摺動部１４ａと下側摺動部１４ｂのフランジの突出長さ（互いに接近する方向の長さ）は同じであるが、リブ３６によって、上側摺動部１４ａの上側溝１１ａへの係合深さが減じられている。また、リブ３６が上側溝１１ａの縁に当接しており、さらに上側溝１１ａは下側溝１１ｂよりも浅く、上側溝１１ａの溝底には上側摺動部１４ａの先端がちょうど達している。一方、下側摺動部１４ｂは、下側溝１１ｂの溝底にちょうど達している。
【００７３】
この締結部材４ａを、上下逆向きに主本体側締結部６に装着しようとしても、図１２（ｂ）において二点鎖線で仮想的に示す様に、リブ３６が下側溝１１ｂの縁に当接し、上側溝１１ａよりも深い下側溝１１ｂに対して上側摺動部１４ａが途中の深さまでしか係合せず、下側摺動部１４ｂは、上側溝１１ａの溝底を突き抜けてしまう。すなわち、締結部材４ａの上下（天地）の向きを逆にすると、主本体側締結部６に対して締結部材４ａを装着することはできない。よって、締結部材４ａを上下逆向きに装着する事態を回避できる。
【００７４】
さらに、別の形態として、図１３（ａ）に示す様に、締結部材４ｂの厚みを不均一にすることで主本体側締結部６への装着を不能にすることができる。図１３（ａ）に示す例では、締結部材４ｂの上側の張出部３７の肉厚が下側の張出部３８の肉厚よりも大きい。そのため、上側摺動部１４ａの上側溝１１ａへの係合深さが減じられている。また、上側溝１１ａは下側溝１１ｂよりも浅い。この締結部材４ｂを天地逆向きに主本体側締結部６に装着しようとすると、図１３（ｂ）に二点鎖線で仮想的に示す様に、張出部３７が下側溝１１ｂを仕切る側壁部１１ｃに干渉してしまう。そのため、締結部材４ｂは、天地逆向きの姿勢では主本体側締結部６に装着することができない。
【００７５】
また、ゲート付近に、溶融樹脂が流れた跡の模様（いわゆるフローマーク）が残ったり、溶融樹脂内に存在する気泡に起因するシルバー・ストリークが生じることがあるが、本実施形態のようにゲート跡の位置を工夫することにより、フローマークやシルバー（シルバー・ストリーク）は目立ちにくくなり、締結部材の見栄えは良好である。
【００７６】
図１７、図１８に示す様に、締結部材４に模様５０を設ける（装飾を施す）ことにより、美観を向上させるのが好ましい。また、模様５０を凹凸で構成することにより、締結部材４をスライド移動させる際に、使用者の指に引っ掛かり易くなり、締結部材４を操作し易くなる。模様５０は、例えば射出成形やプレス加工によって形成することができる。
【符号の説明】
【００７７】
１    絵具収容箱
２    箱本体
３    蓋
４    締結部材
５    本体側締結部
６    主本体側締結部
７    副本体側締結部
８    蓋側締結部
１０    箱本体の開口の縁
１０ａ  箱本体の開口
１１ａ  主本体側締結部の上側溝
１１ｂ  主本体側締結部の下側溝
１２ａ  主本体側締結部の上側溝
１２ｂ  主本体側締結部の下側溝
１３    蓋側締結部の凹部
１４ａ  締結部材の上側摺動部
１４ｂ  締結部材の下側摺動部
１５    締結部材の隆起部
１６ａ  主本体側締結部の上側溝の側面
１６ｂ  主本体側締結部の下側溝の側面
２８ａ  副本体側締結部の上側溝の側面
２８ｂ  副本体側締結部の下側溝の側面
【図１】
2019005919.tif 000003
【図２】
2019005919.tif 000004
【図３】
2019005919.tif 000005
【図４】
2019005919.tif 000006
【図５】
2019005919.tif 000007
【図６】
2019005919.tif 000008
【図７】
2019005919.tif 000009
【図８】
2019005919.tif 000010
【図９】
2019005919.tif 000011
【図１０】
2019005919.tif 000012
【図１１】
2019005919.tif 000013
【図１２】
2019005919.tif 000014
【図１３】
2019005919.tif 000015
【図１４】
2019005919.tif 000016
【図１５】
2019005919.tif 000017
【図１６】
2019005919.tif 000018
【図１７】
2019005919.tif 000019
【図１８】
2019005919.tif 000020